(57)【要約】【課題】  不正使用を防止するとともに、使用者が必要とする機能の操作権限を与えることができるプロジェクタの操作権限の管理方法、および当該操作権限の管理方法を用いたプロジェクタ、プロジェクタの操作権限の管理プログラムを提供すること。【解決手段】  制御部１３は、プロジェクタの起動時にパスワードが入力されると、入力されたパスワードが、記憶部１４に登録された操作権限レベルごとのパスワードのいずれかと一致した場合に、一致したパスワードの操作権限レベルに応じた記憶部１４に記憶されている機能の操作を可能にすることから、プロジェクタ１００は、入力されたパスワードと一致した操作権限レベルに対応する機能のみの操作を可能にする。【選択図】      図２
2006235000.tif 000002
【特許請求の範囲】
【請求項１】
映像を投写するプロジェクタであって、
前記プロジェクタを起動するための操作、および前記プロジェクタの正当な使用者であることを識別するパスワードを入力する操作がなされる操作部と、
入力された複数の前記パスワードを、プロジェクタが有する複数の機能のうち操作可能な機能の割当てが異なる操作権限レベルごとに登録する記憶部と、
入力された前記パスワードと、前記記憶部に登録されたパスワードとが、一致するか否か比較し判断する制御部と、を備え、
前記記憶部は、前記操作権限レベルごとに割当てられた操作可能な機能を記憶し、
前記制御部は、前記操作部に前記プロジェクタを起動するための操作がなされた後、前記操作部に前記パスワードが入力されると、前記入力されたパスワードが、前記登録された操作権限レベルごとのパスワードのいずれかと一致した場合に、一致した前記パスワードの操作権限レベルに応じた前記記憶部に記憶されている機能の操作を可能にすることを特徴とするプロジェクタ。
【請求項２】
前記操作権限レベルのうち、最も多くの機能の操作権限を有する最上位の操作権限レベルにおける操作可能な機能には、前記操作権限レベルごとの操作可能な機能の割当てを変更する機能が含まれていることを特徴とする請求項１に記載のプロジェクタ。
【請求項３】
さらに、前記プロジェクタを操作する外部電子機器と有線または無線を介して接続するための通信部を備え、
前記制御部は、前記操作部に前記プロジェクタを起動するための操作がなされると、前記通信部から前記パスワードの入力を促す信号を前記外部電子機器に送信し、さらに前記通信部が前記外部電子機器からのパスワードを含む応答信号を受信すると、前記受信したパスワードが、前記登録された操作権限レベルごとのパスワードのいずれかと一致した場合に、一致した前記パスワードの操作権限レベルに応じた前記記憶部に記憶されている機能の操作を可能にすることを特徴とする請求項１または２に記載のプロジェクタ。
【請求項４】
映像を投写するプロジェクタの正当な使用者であることを識別する複数のパスワードを、プロジェクタが有する複数の機能のうち、操作可能な機能の割当てが異なる操作権限レベルごとに登録したプロジェクタの操作権限の管理方法であって、
前記パスワードが入力されると、前記入力されたパスワードが、前記登録された操作権限レベルごとのパスワードのいずれかと一致するかどうか確認するステップと、
前記入力されたパスワードが、前記登録されたパスワードのいずれかと一致した場合、前記一致したパスワードの操作権限レベルに応じた機能の操作を可能にする工程と、を含むことを特徴とするプロジェクタの操作権限の管理方法。
【請求項５】
映像を投写するプロジェクタの正当な使用者であることを識別するための複数のパスワードを入力する操作がなされる操作部と、前記パスワードを、プロジェクタが有する複数の機能のうち操作可能な機能の割当てが異なる操作権限レベルごとに登録する記憶部と、を備えたプロジェクタが実行する操作権限の管理プログラムであって、
前記パスワードが入力されると、前記入力されたパスワードが、前記記憶部に登録された操作権限レベルごとのパスワードのいずれかと一致するかどうか確認するステップと、
前記入力されたパスワードが、前記記憶部に登録されたパスワードのいずれかと一致した場合、前記一致したパスワードの操作権限レベルに応じた機能の操作を可能にするステップと、を含むことを特徴とするプロジェクタの操作権限の管理プログラム。
【発明の詳細な説明】
【技術分野】
【０００１】
本発明は、パスワードによるプロジェクタの操作権限の管理方法、および当該操作権限の管理方法を用いたプロジェクタ、プロジェクタの操作権限の管理プログラムに関する。
【背景技術】
【０００２】
プロジェクタは、学校の教室や企業の会議室など不特定多数の人間が出入りする場所に設置されることが多い。このような場所に設置されるプロジェクタには、不正使用や盗難防止のための機能が要求されている。
例えば、特許文献１のプロジェクタは、プロジェクタの起動時にパスワードの入力画面を表示させ、予め登録されている一つのパスワードと同一のパスワードを入力した使用者にプロジェクタの操作権限を与える。この機能により、パスワードを与えられていない者は、プロジェクタを操作することができないため、不正使用を防止することができる。また、プロジェクタを盗んでも使用することができないことから、盗難防止にも役立っていた。
他方、パスワードを与えられた使用者は、パスワードの変更がなされない限りプロジェクタの全ての機能を自由に操作することが可能であった。
【０００３】
プロジェクタの機能の一つに、投写する投写映像の大きさや、形状および色合いなどを、プロジェクタが設置されている環境に適合するように設定する機能がある。
例えば、室内照明を点けた状態でパーソナルコンピュータ（以降「ＰＣ」という）によるプレゼンが多く行われる会議室に設置されたプロジェクタの場合、壁面に備え付けられているスクリーンの大きさおよび形状に、投写映像の大きさおよび形状が略一致するように、投写映像をズームおよび台形補正機能により調整および設定する。また、室内照明を点けた状態でのスクリーンの色調に合わせて、投写映像の色合いが自然なものとなるように、投写映像を画質調整機能により調整および設定する。
これらの投写映像の設定内容は、プロジェクタの電源をオフする際に自動的に記憶され、次回使用時に再現することができた。
【０００４】
【特許文献１】特開２００４−７７９６７号公報
【発明の開示】
【発明が解決しようとする課題】
【０００５】
しかしながら、特許文献１のプロジェクタでは、パスワードを保有している使用者全てに、プロジェクタの全ての機能を自由に操作することが可能な権限を与えてしまうため、前述した投写映像の設定内容がいつの間にか変えられてしまうことがあった。
例えば、前述のような環境で、ある使用者が、室内照明を落としてＤＶＤ（Digital Versatile Disk）による映画の鑑賞を行った場合、当該使用者は、投写映像が薄暗い環境に適合するように投写映像の画質の設定を変更してしまう。また、映画がワイド画面によるものであれば、投写映像のズームおよび台形補正の設定も変更してしまう。
【０００６】
投写映像の設定内容が勝手に変えられてしまうと、次にＰＣによるプレゼンを行おうとする人は、再度設定をやり直さねばならなかった。また、次の使用者が、プロジェクタの操作方法に詳しくない場合、投写映像の設定ができないため、プロジェクタを使用できないこともあった。
このように、従来のプロジェクタには、一つのパスワードにより全ての機能の操作権限を与えてしまうため、保存しておきたいプロジェクタの機能の設定内容などが勝手に変更されてしまう恐れがあるという問題があった。
【０００７】
上記課題を解決するために、本発明では、不正使用を防止するとともに、使用者が必要とする機能の操作権限を与えることができるプロジェクタの操作権限の管理方法、および当該操作権限の管理方法を用いたプロジェクタ、プロジェクタの操作権限の管理プログラムを提供することを目的とする。
【課題を解決するための手段】
【０００８】
前記目的を達成するために、本発明に係るプロジェクタは、映像を投写するプロジェクタであって、プロジェクタを起動するための操作、およびプロジェクタの正当な使用者であることを識別するパスワードを入力する操作がなされる操作部と、入力された複数のパスワードを、プロジェクタが有する複数の機能のうち操作可能な機能の割当てが異なる操作権限レベルごとに登録する記憶部と、入力されたパスワードと、記憶部に登録されたパスワードとが、一致するか否か比較し判断する制御部と、を備え、記憶部は、操作権限レベルごとに割当てられた操作可能な機能を記憶し、制御部は、操作部にプロジェクタを起動するための操作がなされた後、操作部にパスワードが入力されると、入力されたパスワードが、登録された操作権限レベルごとのパスワードのいずれかと一致した場合に、一致したパスワードの操作権限レベルに応じた記憶部に記憶されている機能の操作を可能にすることを特徴とする。
【０００９】
この構成によれば、記憶部は、操作権限レベルごとにパスワードを登録することから、プロジェクタは、複数のパスワードによる複数の操作権限レベルを持っている。
さらに、制御部は、プロジェクタの起動時にパスワードが入力されると、入力されたパスワードが、記憶部に登録された操作権限レベルごとのパスワードのいずれかと一致した場合に、一致したパスワードの操作権限レベルに応じた記憶部に記憶されている機能の操作を可能にすることから、一つのパスワードにより全ての機能の操作権限を与えてしまう従来のプロジェクタと異なり、本発明のプロジェクタは、入力されたパスワードと一致した操作権限レベルに対応する機能のみの操作を可能にする。
【００１０】
あらかじめ設定されている機能設定のままで、映像の投写ができれば良いという一般の使用者には、映像の画質設定などの高度な機能の操作権限は必要ないため、当該機能を含まない操作権限レベルのパスワードを与える。これにより、一般の使用者は、保存しておきたい設定内容が含まれる機能を操作することができないため、誤操作などによる、機能の設定内容などの変更を防ぐことができる。
他方、プロジェクタの所有者など、パスワードの管理を含むプロジェクタの管理を行う管理者は、プロジェクタの全ての機能を操作することが可能な操作権限レベルのパスワードを保有することにより、常にプロジェクタの設定を最適な状態に保つことができる。
さらに、パスワードを与えられていない者は、プロジェクタを操作できないことから、不正使用は防止できる。
従って、不正使用を防止するとともに、使用者が必要とする機能の操作権限を与えることができるプロジェクタを提供することができる。
【００１１】
本発明に係るプロジェクタによれば、操作権限レベルのうち、最も多くの機能の操作権限を有する最上位の操作権限レベルにおける操作可能な機能には、操作権限レベルごとの操作可能な機能の割当てを変更する機能が含まれていることが好ましい。
【００１２】
この構成によれば、最上位の操作権限レベルにおける操作可能な機能には、操作権限レベルごとの操作可能な機能の割当てを変更する機能が含まれていることから、プロジェクタは、各種機能の操作権限レベルを変更することができる。
よって、プロジェクタの使用実態に応じて、操作権限レベルごとに必要とされる機能の見直しを行うことができる。
従って、不正使用を防止するとともに、使用者が必要とする機能の操作権限を与えることができるプロジェクタを提供することができる。
【００１３】
本発明に係るプロジェクタによれば、さらに、プロジェクタを操作する外部電子機器と有線または無線を介して接続するための通信部を備え、制御部は、操作部にプロジェクタを起動するための操作がなされると、通信部からパスワードの入力を促す信号を外部電子機器に送信し、さらに通信部が外部電子機器からのパスワードを含む応答信号を受信すると、受信したパスワードが、登録された操作権限レベルごとのパスワードのいずれかと一致した場合に、一致した前記パスワードの操作権限レベルに応じた記憶部に記憶されている機能の操作を可能にすることが好ましい。
【００１４】
この構成によれば、プロジェクタは、プロジェクタを操作する外部電子機器と有線または無線を介して接続するための通信部を備えることから、プロジェクタは、通信部を介して外部電子機器により操作される。
制御部は、操作部にプロジェクタを起動するための操作がなされると、通信部からパスワードの入力を促す信号を外部電子機器に送信し、さらに通信部が外部電子機器からのパスワードを含む応答信号を受信すると、受信したパスワードが、登録された操作権限レベルごとのパスワードのいずれかと一致した場合に、一致したパスワードの操作権限レベルに応じた記憶部に記憶されている機能の操作を可能にすることから、プロジェクタは、受信したパスワードと一致した操作権限レベルに対応する機能のみの操作を可能にする。
よって、プロジェクタは、外部電子機器から受信したパスワードと一致した操作権限レベルに対応する機能について、外部電子機器による操作を可能にする。
従って、不正使用を防止するとともに、使用者が必要とする機能の操作権限を与えることができ、外部電子機器による操作が可能なプロジェクタを提供することができる。
【００１５】
本発明に係るプロジェクタの操作権限の管理方法は、映像を投写するプロジェクタの正当な使用者であることを識別する複数のパスワードを、プロジェクタが有する複数の機能のうち、操作可能な機能の割当てが異なる操作権限レベルごとに登録したプロジェクタの操作権限の管理方法であって、パスワードが入力されると、入力されたパスワードが、登録された操作権限レベルごとのパスワードのいずれかと一致するかどうか確認するステップと、入力されたパスワードが、登録されたパスワードのいずれかと一致した場合、一致したパスワードの操作権限レベルに応じた機能の操作を可能にする工程と、を含むことを特徴とする。
【００１６】
この操作権限の管理方法によれば、パスワードが入力されると、入力されたパスワードが、登録された操作権限レベルごとのパスワードのいずれかと一致するかどうか確認するステップと、入力されたパスワードが、登録されたパスワードのいずれかと一致した場合、一致したパスワードの操作権限レベルに応じた機能の操作を可能にする工程と、を含むことから、入力されたパスワードと一致した操作権限レベルに対応する機能のみの操作を可能にする。
【００１７】
よって、使用者に、使用者のプロジェクタ操作能力または使用用途に相応しい操作権限レベルのパスワードを与えることにより、使用者が必要とする機能の操作権限を与えることができる。これにより、プロジェクタの操作に詳しくない一般者が、映像の画質設定などの高度な機能の操作権限を持ってしまうことから生じる、誤操作などによる、機能の設定内容などの変更を防ぐことができる。
他方、プロジェクタの所有者など、パスワードの管理を含むプロジェクタの管理を行う管理者は、プロジェクタの全ての機能を操作することが可能な操作権限レベルのパスワードを保有することにより、常にプロジェクタの設定を最適な状態に保つことができる。
また、パスワードを与えられていない者は、プロジェクタを操作できないことから、不正使用は防止できる。
従って、不正使用を防止するとともに、使用者が必要とする機能の操作権限を与えることができるプロジェクタの操作権限の管理方法を提供することができる。
【００１８】
本発明に係るプロジェクタの操作権限の管理プログラムは、映像を投写するプロジェクタの正当な使用者であることを識別するための複数のパスワードを入力する操作がなされる操作部と、パスワードを、プロジェクタが有する複数の機能のうち操作可能な機能の割当てが異なる操作権限レベルごとに登録する記憶部と、を備えたプロジェクタが実行する操作権限の管理プログラムであって、パスワードが入力されると、入力されたパスワードが、記憶部に登録された操作権限レベルごとのパスワードのいずれかと一致するかどうか確認するステップと、入力されたパスワードが、記憶部に登録されたパスワードのいずれかと一致した場合、一致したパスワードの操作権限レベルに応じた機能の操作を可能にするステップと、を含むことを特徴とする。
【００１９】
この操作権限の管理プログラムによれば、パスワードが入力されると、入力されたパスワードが、登録された操作権限レベルごとのパスワードのいずれかと一致するかどうか確認するステップと、入力されたパスワードが、登録されたパスワードのいずれかと一致した場合、一致したパスワードの操作権限レベルに応じた機能の操作を可能にするステップと、を含むことから、入力されたパスワードと一致した操作権限レベルに対応する機能のみの操作を可能にする。
【００２０】
よって、使用者に、使用者のプロジェクタ操作能力または使用用途に相応しい操作権限レベルのパスワードを与えることにより、使用者が必要とする機能の操作権限を与えることができる。これにより、プロジェクタの操作に詳しくない一般者が、映像の画質設定などの高度な機能の操作権限を持ってしまうことから生じる、誤操作などによる、機能の設定内容などの変更を防ぐことができる。
他方、プロジェクタの所有者など、パスワードの管理を含むプロジェクタの管理を行う管理者は、プロジェクタの全ての機能を操作することが可能な操作権限レベルのパスワードを保有することにより、常にプロジェクタの設定を最適な状態に保つことができる。
また、パスワードを与えられていない者は、プロジェクタを操作できないことから、不正使用は防止できる。
従って、不正使用を防止するとともに、使用者が必要とする機能の操作権限を与えることができるプロジェクタの操作権限の管理プログラムを提供することができる。
【発明を実施するための最良の形態】
【００２１】
以下、添付図面に基づいて、本発明の実施形態を詳細に説明する。
【００２２】
（実施形態１）
《プロジェクタの使用態様》
図１は、本発明の一実施形態におけるプロジェクタの使用態様を示す図である。プロジェクタ１００は、不特定多数の人が利用する会議室に設置されている。プロジェクタ１００は、映像信号供給装置としてのＰＣ（パーソナルコンピュータ）１３０からの映像信号にて表される映像をスクリーンＳＣに投写する準備をしている。
プロジェクタ１００は、プロジェクタ１００を起動またはシャットダウンするための「電源ボタン」（図示せず）を含む複数の操作ボタンを備えた操作部１、または、同様の複数のボタンを備えた操作部としてのリモコン２により、操作が可能である。
操作部１およびリモコン２の複数の操作ボタンには、算用数字（０〜９）に対応した複数の操作ボタンや、機能の操作メニューなどを選択するための「十字キー」、「十字キー」で選択された機能などを実行するための「決定ボタン」（いずれ図示せず）などが含まれている。
【００２３】
図１は、リモコン２の「電源ボタン」が操作され、プロジェクタ１００が起動し、スクリーンＳＣに、プロジェクタの使用者が登録されたパスワードを保有する正当な使用者であるかどうか確認するためのパスワード入力を促す画面が表示された状態を示している。
プロジェクタ１００は、スクリーンＳＣに示すような入力画面や、プロジェクタ１００の各種機能を選択するための操作メニュー、および各種機能の設定内容などを投写映像に表示するＯＳＤ（On Screen Display）機能を有している。
プロジェクタ１００の使用者は、操作部１、またはリモコン２によりパスワードを入力し、入力したパスワードが、プロジェクタ１００が記憶している複数のパスワードのいずれかと一致した場合、プロジェクタ１００を操作することが可能となる。
【００２４】
《プロジェクタの概略構成》
図２は、プロジェクタの概略構成図である。続いて、プロジェクタ１００の概略構成について説明する。
プロジェクタ１００は、光源としてのランプ３が放射した光を、赤色光、青色光、緑色光の光の３原色成分に分離し、各色光毎に光学部４に含まれる光変調素子である各色光用の液晶ライトバルブ５Ｒ，５Ｇ，５Ｂにより、ＰＣ１３０などの映像信号供給装置からの映像信号に応じて変調し、再度合成してスクリーンＳＣに投写する、いわゆる「液晶３板式プロジェクタ」である。
プロジェクタ１００は、前述した操作部１、リモコン２に加えて、ランプ３、光学部４、投写レンズ７、映像信号処理部８、映像信号補正部１０、液晶パネル駆動部１２、制御部１３、記憶部１４、操作受付け部１５、ランプ駆動部１６、電源部１７、Ｉ／Ｏブリッジ部１８、ハードディスク１９、通信部２０などから構成されている。
【００２５】
ランプ３は、プロジェクタ１００が投写する映像の光源であり、高圧水銀ランプや、メタルハライドランプなどの高輝度が得られる放電式のランプである。
光学部４は、ランプ３が放射する白色光を輝度値分布の安定した略平行光に変換するインテグレータ光学系と、輝度値分布の安定した白色光を光の３原色である赤色、緑色、青色の各色光成分に分離して各色光用の液晶ライトバルブ５Ｒ，５Ｇ，５Ｂに供給する分離光学系（いずれも図示せず）と、液晶ライトバルブ５Ｒ，５Ｇ，５Ｂにて色光ごとに映像信号に応じて変調された各色光を、再度合成する合成光学系６とを含んで構成されている。
液晶ライトバルブ５Ｒ，５Ｇ，５Ｂからの各色光による変調光は、青色光を反射し緑色光を透過するダイクロイック膜と、赤色光を反射し緑色光を透過するダイクロイック膜と、を備える合成光学系６であるクロスダイクロイックプリズムにより合成され、映像信号に応じて変調されたフルカラーで略平行光の変調光として射出される。
【００２６】
投写レンズ７は、複数の凹凸レンズなどから構成されており、合成光学系６から射出された変調光を拡大して投写光とし、スクリーンＳＣに映像を投写する。投写レンズ７は、投写映像の大きさを調整するズーム機能や、投写映像の焦点を調整するフォーカス機能を有している。
【００２７】
映像信号処理部８は、映像信号コンバータ（図示せず）、およびフレームメモリ９を含んで構成されている。
映像信号コンバータは、ＰＣ１３０から供給されるアナログ映像信号Ｖinに後述する様々な映像信号処理を施すことができるように映像信号Ｖinをアナログ信号からデジタル信号に変換するＡ／Ｄ変換処理などを施す。
映像信号処理部８は、デジタル信号に変換された映像信号を、液晶ライトバルブ５Ｒ，５Ｇ，５Ｂで表示するのに適した信号とするために、映像データをフレームメモリ９に書き込み、所定の条件で読み出すなどの映像信号処理を施した後、映像信号Doutとして出力する。映像信号処理には、映像信号にて表される映像を拡大および縮小することにより液晶ライトバルブ５Ｒ，５Ｇ，５Ｂの持つ解像度に合わせるスケーリング処理や、投写映像の形状を補正する台形補正処理などが含まれている。
【００２８】
映像信号補正部１０は、ＯＳＤメモリ１１を含んで構成されている。映像信号補正部１０は、映像信号処理部８からの映像信号Doutに、映像信号Doutの有する階調値を液晶ライトバルブ５Ｒ，５Ｇ，５Ｂで表示するのに適した階調値に変換するγ補正や、色合いなどの画質を設定内容に沿って調整する画質補正処理、デジタル信号をアナログ信号に変換するＤ／Ａ変換処理などを施し、映像信号Voutとして出力する。
さらに映像信号補正部１０は、ＯＳＤ機能を担い、制御部１３からのＯＳＤコマンドに従い、指定された画面などをＯＳＤメモリ１１から読み出し、読み出した画面を映像信号に重畳させる処理を行い、映像信号Voutとして出力する。
ＯＤＳメモリ１１には、プロジェクタ１００を操作するための様々な操作メニュー画面や、入力している映像ソース名を表す「コンピュータ」などの状態表示情報や、映像信号が入力されていないときの待ち受け画面表示などが記憶されている。
【００２９】
液晶パネル駆動部１２は、液晶ライトバルブ５Ｒ，５Ｇ，５Ｂに映像信号Voutと、駆動電圧などを供給し、液晶ライトバルブ５Ｒ，５Ｇ，５Ｂに映像を写し出す。
制御部１３は、ＣＰＵ（Central Processing Unit）であり、バスラインＢusを介して、各部との信号のやり取りを行う。
記憶部１４は、例えば、フラッシュメモリなどデータの書き換えが可能な不揮発性のメモリにより構成されている。記憶部１４には、例えば、プロジェクタ１００を起動させるときの処理の順序と内容を指示する起動プログラムや、複数のパスワードによるプロジェクタ１００の操作権限を管理する「操作権限の管理プログラム」など、プロジェクタ１００の動作を指示および制御するための様々なプログラムおよび付随するデータが記憶されている。
【００３０】
操作権限の管理プログラムには、操作権限レベルごとの操作可能な機能の割当てを変更するための機能が含まれている。
付随するデータには、操作権限の管理プログラムで用いられる、操作権限レベルごとに登録されたパスワードや、操作権限レベルごとに割当てられた操作可能な機能テーブルなどのデータが含まれている。なお、これらのプログラムおよびデータは、ハードディスク１９に記憶されていても良い。
【００３１】
操作受付け部１５は、リモコン２などの操作部への操作がなされると、操作を受付け、制御部１３へ各種動作のトリガとなる操作信号を送る。
ランプ駆動部１６は、電源部１７からの電力供給を受け、ランプ３を点灯させるために高電圧を発生して放電経路を形成するイグナイタ回路と、点灯後の安定した点灯状態を維持するためのバラスト回路（いずれも図示せず）とを含んで構成されている。
電源部１７は、外部電源１３５からの交流電力をプラグから導き、内蔵するＡＣ／ＤＣ変換部（いずれも図示せず）にて変圧、整流および平滑するなどの処理を施すことにより安定化させた直流電圧をプロジェクタ１００の各部に供給する。
Ｉ／Ｏブリッジ部１８は、サウスブリッジであり、通信部２０に挿入される拡張カードなどを制御するためのＰＣＭＣＩＡ（Personal Computer Memory Card International Association）に対応したカードコントローラや、ハードディスク１９を制御するためのＩＤＥ（Integrated Drive Electronics）コントローラなどの各種デバイスコントローラを搭載している。
【００３２】
ハードディスク１９は、ＩＤＥに対応したハードディスクであり、ウェブページ閲覧用のブラウザと、ブラウザに映像および音声信号を含むＡＶ（Audio Visual）データ再生機能を追加する複数のプラグインなどのプログラムが記憶されている。これにより、プロジェクタ１００は、例えばインターネットから通信部２０を介してダウンロードしたＡＶデータを、ハードディスク１９に記憶し、プロジェクタ１００単体でＡＶデータを再生および投写することができる。
通信部２０は、ＰＣＭＣＩＡに対応した拡張カードスロットであり、ＬＡＮ（Local Area Network）に接続するためのネットワークカード（以降、ＬＡＮカードという）が挿入されている。なお、ＬＡＮカードは無線対応の無線ＬＡＮカードであっても良い。この構成の場合、無線ＬＡＮカードは、例えば、IEEE 802.11b（IEEE 802.11 High-Rate Direct Sequence）無線ＬＡＮ規格に対応した無線ＬＡＮカードを用いる。
【００３３】
《パスワードの初期設定》
図３は、パスワード設定時における投写画面の一態様を示す図である。ここでは、プロジェクタ１００のパスワードの初期設定方法について説明する。
プロジェクタ１００は、工場出荷段階においては、パスワード設定されていないため、全ての機能が操作可能な状態となっている。これは、パスワードを使うか使わないかは、使用者が選択するのが好ましいこと、および、パスワード設定を含めた初期設定を行うためには全ての機能が操作可能な状態となっていることが望ましいためである。
プロジェクタ１００は、パスワードを設定するために、操作部１の「電源ボタン」が押されたことにより起動する。
【００３４】
プロジェクタ１００は、起動すると、ＯＳＤ機能により、図３の画面３１を投写する。画面３１は、パスワードの設定および変更を行う際に表示される操作画面であり、使用者は、設定したい操作権限レベルのパスワードを、「十字キー」によりカーソルを移動させて選択する。なお、以降、「十字キー」により選択し、「決定ボタン」により決定することを「選択決定する」という。
画面３１に示されるように、プロジェクタ１００は、「第１パスワード」による操作権限レベルと、「第２パスワード」による操作権限レベルと、「第３パスワード」による操作権限レベルとを有している。
なお、パスワードが設定されていない場合は、起動時ごとに画面３１を表示しなくても良い。この場合、画面３１を表示させたいときには、操作メニューから選択して表示させることが可能である。
【００３５】
ここで、操作権限レベルごとに操作することができる機能の割当てについて図４を用いて説明する。図４は、操作権限レベルごとの操作可能な機能テーブルの一態様を示す図である。
図４の機能テーブル４０は、操作権限レベルごとに割当てられた操作可能な機能の一覧表である。
「第３パスワード」による操作権限レベル（以下、「第３レベル」という）で、操作することができる機能は、プロジェクタ１００が有する全ての機能である。これは、機能テーブル４０の「第３レベル」列全てにフラグ「１」が立てられていることにより示されている。このように、機能テーブル４０では、操作権限レベルごとの操作可能な機能を「１」としてフラグを立て、操作できない機能を「０」として記憶している。
「第３レベル」のパスワードは、プロジェクタ１００の所有者などの、プロジェクタ１００を管理する少数の管理者が保有することが望ましい。
【００３６】
「第２パスワード」による操作権限レベル（以下、「第２レベル」という）で、操作することができる機能は、「第３レベル」より少ないが、カラーモード調整機能など画質調整に関する機能が多く含まれている。
「第２レベル」のパスワードは、管理者に次いで、プロジェクタ１００を操作することが多く、一般者にプロジェクタの操作を教えることができる程度の知識を有した中間管理者に与えることが望ましい。
「第１パスワード」による操作権限レベル（以下、「第１レベル」という）で、操作することができる機能は、プロジェクタ１００が設定された環境で、映像を投写するために必要な最低限の機能となっている。
「第１レベル」のパスワードは、プロジェクタ１００を設定された状態のまま、プレゼンなどの映像の投写のみに利用する、一般者に与えることが望ましい。
【００３７】
図３の画面３１に戻る。「第１パスワード」が選択された状態で、「第１パスワードを選択しますか？」の問いに対して、「いいえ」を選択決定した場合、制御部１３は、パスワード設定は行わないものと判断し、画面３１を閉じて、全機能の操作権限を開放したまま映像の投写を行う。また、パスワード設定が行われていない場合、次回の起動時に、再度、自動的に画面３１が表示される設定となっている。
ここでは、画面３１に示された状態で、「はい」が選択決定されたため、画面３２へ進む。
【００３８】
画面３２は、パスワードの入力画面である。パスワードは、操作権限レベルに係らず任意の６桁の数字で構成される。なお、数字に限定するものではなく、例えば、アルファベットであっても良いし、数字とアルファベットが混在していても良い。また、桁数も６桁に固定しなくてもよい。
ここでは、任意の６桁のパスワードが入力され、「決定ボタン」が押されたため、画面３３へ進む。なお、画面３２において、パスワードは「＊＊＊＊＊＊」として示されている。これは、投写されている画面３２を見る可能性がある第三者に、パスワードが知られてしまうことを防ぐためである。
【００３９】
画面３３は、設定されたパスワードを確認するための入力画面である。ここでは、画面３２において入力されたパスワードと同一のパスワードが入力されたため、画面３４へ進む。
画面３４は、第１パスワードの設定が終了したことを示す画面である。これで、第１パスワードは、記憶部１４に登録され、第１パスワードの設定は終了となる。画面３４は、数秒間表示された後、自動的に閉じる。
続いて、画面３３において、パスワードの確認の際に間違ったパスワードが入力された場合について説明する。パスワードの確認の際に間違ったパスワードが入力された場合、画面３５に進む。
画面３５は、パスワードの不一致を警告する画面である。「第１パスワードの設定をやり直しますか？」の問いに対して、「はい」を選択決定すると、画面３１に戻り、再度パスワード設定が可能となる。「いいえ」を選択決定した場合、制御部１３は、パスワード設定は行わないものと判断し、画面３５を閉じる。
【００４０】
ここまで、「第１パスワード」の設定手順について説明したが、「第２パスワード」および、「第３パスワード」についても同様に設定することが可能である。このようにして設定された操作権限レベルごとのパスワードは、記憶部１４に登録され、記憶される。
なお、操作権限レベルは３段階に限定するものではなく、複数であれば何段階であっても良い。例えば、一般者と、管理者からなる２段階であっても良いし、操作権限レベルごとに割当てられる機能を細分化して、５段階としても良い。
【００４１】
《パスワードによるプロジェクタの使用》
図５は、パスワード入力によりプロジェクタを使用する際の流れを示したフローチャートである。ここでは、登録されたパスワードを用いて、プロジェクタを使用する際のプロジェクタの応答および動作について説明する。
プロジェクタ１００は、３段階の操作権限レベルごとにパスワード設定がなされ、図１に示すような会議室で、ＰＣ１３０からのプレゼン用の映像を投写しようとしている。記憶部１４に記憶されているパスワードによる「操作権限の管理プログラム」は、有効に設定されている。なお、「操作権限の管理プログラム」を有効または無効にする設定は、図４の機能テーブル４０における拡張分類のパスワード機能の中に含まれている。
【００４２】
ステップＳ１では、制御部１３は、リモコン２の「電源ボタン」が操作されたため、電源部１７により各部に電力を供給し起動動作を開始する。
ステップＳ２では、制御部１３は、各部に初期化処理を行わせ、さらにランプ駆動部１６によりランプ３の点灯処理を行わせる。
ステップＳ３では、制御部１３は、「操作権限の管理プログラム」の設定が有効であるか否か確認し、判断する。設定が無効となっている場合は、ステップＳ１０へ進む。ここでは、設定が有効であるため、ステップＳ４へ進む。
ステップＳ４では、制御部１３は、内蔵するカウンタのパスワード不一致回数を「０」に設定する。
ステップＳ５では、制御部１３は、映像信号補正部１０によりＯＳＤメモリ１１からパスワード入力画面を読み出させ、投写映像に重畳させる。ここで映し出される画面が、図１のスクリーンＳＣに示されている画面である。画面は、６桁の数字によるパスワード入力を促している。
【００４３】
ステップＳ６では、制御部１３は、６桁のパスワードが入力されたか否か判断する。パスワードが入力されない場合、入力されるまで待ち受ける。ここでは、パスワードが入力されたため、ステップＳ７へ進む。
ステップＳ７では、制御部１３は、記憶部１４に登録されている「第３パスワード」と、入力されたパスワードとが、一致するか否か比較し判断する。一致しない場合、ステップＳ１１へ進む。ここでは、パスワードが一致したため、ステップＳ８へ進む。
ステップＳ８では、制御部１３は、記憶部１４の機能テーブル４０（図４）の「第３パスワード」に対応する「第３レベル」の操作レベル設定にフラグ「１」を立てる。
ステップＳ９では、制御部１３は、映像信号補正部１０によりパスワード入力画面を閉じさせる。
ステップＳ１０では、制御部１３は、各部によりＰＣ１３０からの映像信号に応じた映像を投写させる。
【００４４】
続いて、ステップＳ７で、「第３パスワード」と、入力されたパスワードとが、一致しなかった場合について説明する。
ステップＳ１１では、制御部１３は、記憶部１４に登録されている「第２パスワード」と、入力されたパスワードとが、一致するか否か比較し判断する。一致した場合、ステップＳ１２へ進む。一致しない場合、ステップＳ１３へ進む。
ステップＳ１２では、制御部１３は、記憶部１４の機能テーブル４０の「第２パスワード」に対応する「第２レベル」の操作レベル設定にフラグ「１」を立て、ステップＳ９へ進む。
ステップＳ１３では、制御部１３は、記憶部１４に登録されている「第１パスワード」と、入力されたパスワードとが、一致するか否か比較し判断する。一致した場合、ステップＳ１４へ進む。一致しない場合、ステップＳ１５へ進む。
ステップＳ１４では、制御部１３は、記憶部１４の機能テーブル４０の「第１パスワード」に対応する「第１レベル」の操作レベル設定にフラグ「１」を立て、ステップＳ９へ進む。
【００４５】
ステップＳ１５では、制御部１３は、内蔵するカウンタのパスワード不一致回数に「１」を加える。
ステップＳ１６では、制御部１３は、カウンタのパスワード不一致回数が「６」回以上であるか否か確認し判断する。「６」回未満であった場合、ステップＳ５に戻り、再度パスワード入力を促す。なお、ここで「パスワードが一致しません。再度パスワードを入力して下さい。」という文字を重畳させることとしても良い。「６」回以上であった場合、ステップＳ１７へ進む。
ステップＳ１７では、制御部１３は、映像信号補正部１０によりＯＳＤメモリ１１からパスワード解除失敗画面を読み出させ、投写映像に重畳させる。パスワード解除失敗画面には、例えば、「パスワードが一致しませんでした。電源をオフします。」という文字が重畳されている。
ステップＳ１８では、制御部１３は、各部をシャットダウンし、さらに自らも待機状態に入る。
【００４６】
続いて、ステップＳ３で、「操作権限の管理プログラム」の設定が無効となっていた場合について説明する。「操作権限の管理プログラム」の設定が無効となっていた場合、プロジェクタ１００は、当該プログラムが機能していないことから、全ての機能の操作権限を使用者に開放する。なお、当該プログラムを有効とするか無効とするかは、機能テーブル４０（図４）における、拡張分類の「パスワード機能」により設定することができる。  「パスワード機能」は、プロジェクタ１００の場合、「第３レベル」で操作権限が与えられている。
なお、パスワードは、複数の操作権限レベル間で重複していても良い。例えば、「第３レベル」と、「第２レベル」のパスワードが同一であった場合、ステップＳ７にて「第３レベル」のパスワードとして認識されるため、「第３レベル」の操作権限が与えられる。
【００４７】
ここで、各操作レベルに入ってから、各種機能を操作する場合について説明する。図４の機能テーブル４０は、「第１パスワード」に対応した「第１レベル」の操作レベル設定にフラグ「１」が立っている状態を示している。
「第１レベル」の操作レベル設定で、操作部１により「ズーム」、「フォーカス」、「明るさ」、映像の「自動調整」についての、調整および設定を行う操作がなされた場合、制御部１３は、当該機能にフラグ「１」が立っていることから、当該操作を受付け、該当する機能を制約なく実行する。
【００４８】
しかし、例えば、リモコン２により「コントラスト」を調整するための操作がなされた場合、制御部１３は、当該機能にフラグが立っていないことから、映像信号補正部１０により「この機能の操作権限はありません。」という文字を投写映像に重畳させ、さらに、当該操作を受付けない。
このようにして、制御部１３は、機能テーブル４０の該当する操作権限レベルに対応した機能に、フラグが立っているか否かにより、各種機能の操作権限を管理する。
また、例えば、「コントラスト」などの実行したい機能を操作するために必要な操作権限レベルのパスワードを入力するように促す画面を表示させることとしても良い。この場合、表示された画面に促されて入力されたパスワードが、当該機能を操作可能な操作権限レベルのものであれば、当該機能の操作を可能とする。
【００４９】
《機能の操作権限レベル変更》
図６は、各種機能の操作権限レベルを変更するときの投写画面の一態様である。ここでは、図４の機能テーブル４０における、操作権限レベルごとの操作可能な機能の割当てを変更する方法、換言すると、各種機能の操作権限レベルを変更する方法について説明する。
各種機能の操作権限レベルを変更する機能は、「操作権限の管理プログラム」に含まれているため、機能の操作権限レベルの変更を行うためには「操作権限の管理プログラム」が有効となっている必要がある。ここでは、当該プログラムが有効となっているものとして説明する。
【００５０】
画面６１は、機能の操作権限レベルを変更するための設定画面である。画面６１は、リモコン２の操作により表示された操作メニューから、「操作権限レベル変更」が選択決定されたことにより、投写表示されている。
画面６１の左側には、機能の分類がタグ表示されている。画面６１では、「拡張」タグが選択され、「拡張」分類に属する機能と、当該機能の操作権限レベルが表示されている。ここでは、「ネットワーク」機能の操作権限レベルを、「第３レベル」から「第２レベル」に変更する場合について説明する。
画面６１では、「ネットワーク」機能の操作権限レベル「３」が選択されたため、「ネットワークの操作レベルを変更しますか？」という問いが表示されている。「いいえ」を選択決定した場合、制御部１３は、変更の意思がないものと判断し、画面６１を閉じる。ここでは、「はい」が選択決定されたため、画面６２へ進む。
【００５１】
画面６２では、「ネットワークの操作レベルを選んで下さい。」という操作表示に従い、操作権限レベル「２」が、選択された状態が表示されている。ここでは、「２」が選択された状態で、リモコン２の「決定ボタン」が押されたため、画面６３へ進む。
画面６３では、「ネットワーク」機能の操作権限レベルが「２」に変更され、さらに「ネットワークの操作レベルを変更しますか？」という問いが表示されている。「はい」を選択決定した場合、制御部１３は、再度「ネットワーク」機能の操作権限レベルを変更するものと判断し、画面６２に戻る。ここでは、「いいえ」が選択されたため、制御部１３は、変更の意思がないものと判断し、画面６３を閉じる。
これにより、「ネットワーク」機能の操作権限レベルは、「第３レベル」から「第２レベル」に変更される。
【００５２】
上述した通り、本実施形態によれば以下の効果が得られる。
（１）記憶部１４は、操作権限レベルごとにパスワードを登録し、記憶することから、プロジェクタ１００は、複数のパスワードによる複数の操作権限レベルを持っている。
さらに、制御部１３は、プロジェクタの起動時にパスワードが入力されると、入力されたパスワードが、記憶部１４に登録された操作権限レベルごとのパスワードのいずれかと一致した場合に、一致したパスワードの操作権限レベルに応じた機能テーブル４０の機能の操作を可能にすることから、プロジェクタ１００は、入力されたパスワードと一致した操作権限レベルに対応する機能のみの操作を可能にする。
【００５３】
よって、使用者に、使用者のプロジェクタ操作能力または使用用途に相応しい操作権限レベルのパスワードを与えることにより、使用者が必要とする機能の操作権限を与えることができる。これにより、プロジェクタの操作に詳しくない一般者が、映像の画質設定などの高度な機能の操作権限を持ってしまうことから生じる、誤操作などによる、機能の設定内容などの変更を防ぐことができる。
他方、プロジェクタの所有者など、パスワードの管理を含むプロジェクタの管理を行う管理者は、プロジェクタの全ての機能を操作することが可能な操作権限レベルのパスワードを保有することにより、常にプロジェクタの設定を最適な状態に保つことができる。
さらに、パスワードを与えられていない者は、プロジェクタを操作できないことから、不正使用は防止できる。
従って、不正使用を防止するとともに、使用者が必要とする機能の操作権限を与えることができるプロジェクタ１００を提供することができる。
【００５４】
（２）最上位の操作権限レベルである「第３レベル」における操作可能な機能には、各種機能の操作権限レベルを変更する機能が含まれていることから、プロジェクタ１００は、操作権限レベルごとに割当てられている操作可能な機能を変更することができる。
よって、プロジェクタの使用実態に応じて、操作権限レベルごとに必要とされる機能の見直しを行うことができる。
従って、不正使用を防止するとともに、使用者が必要とする機能の操作権限を与えることができる。
【００５５】
（実施形態２）
《外部電子機器によるプロジェクタの操作》
図１を用いて説明する。なお、実施形態１での説明と重複する説明は省略し、同一の部位には同一の番号を附して説明する。
実施形態２のプロジェクタ１００は、実施形態１で説明したプロジェクタ１００と同一の構成を備えている。実施形態１において、パスワード入力およびプロジェクタ１００の操作は、操作部１またはリモコン２により行われていた。実施形態２では、実施形態１における操作部１またはリモコン２の機能を、外部電子機器が担うことのみ実施形態１と異なる。
【００５６】
プロジェクタ１００は、通信部２０のＬＡＮカードによりＬＡＮに接続可能に設けられている。
ＰＣ１３０は、映像信号供給装置であり、さらに、ＬＡＮを介して、プロジェクタ１００を操作するための外部電子機器として機能する。
ＰＣ１３０は、ノート型のパーソナルコンピュータであり、液晶ディスプレイ、ＣＰＵ、メモリ、ハードディスク、キーボード、および、ＬＡＮに接続するためのＬＡＮカード（いずれも図示せず）などを備えている。
ハードディスクには、プロジェクタ１００を操作するための「プロジェクタ操作プログラム」が記憶されている。
【００５７】
ＰＣ１３０は、ＬＡＮに接続し、さらに、プロジェクタ操作プログラムが駐在した状態で動作している。
ここで、プロジェクタ１００は、操作部１の「電源ボタン」が操作されたため、起動する。プロジェクタ１００は、起動すると、通信部２０によるＬＡＮへの接続の確立を含む初期化処理を行い、さらに、有効になっている「操作権限の管理プログラム」を実行し、図１のスクリーンＳＣに示されるパスワードの入力を促す画面を表示する。
「操作権限の管理プログラム」は、ＬＡＮ接続の確立がなされている場合、パスワードの表示を促す画面を表示するタイミングと同期して、通信部２０からパスワードの入力を促すための信号であるパスワード要求信号をブロードキャストに送信する。
パスワード要求信号を受信したＰＣ１３０では、駐在している「プロジェクタ操作プログラム」が応答し、液晶ディスプレイにパスワードの入力画面を表示する。
さらに、ＰＣ１３０は、キーボードによりパスワードが入力されると、入力されたパスワードを含む応答信号を、プロジェクタ１００に送信する。
【００５８】
応答信号を受信したプロジェクタ１００は、応答信号からパスワードを読み出し、読み出したパスワードが、記憶部１４の操作権限レベルごとのパスワードのいずれかと一致するか否か比較し、判断する。
プロジェクタ１００は、受信したパスワードが、記憶部１４の操作権限レベルごとのパスワードのいずれかと一致した場合、一致したパスワードの操作権限レベルに応じた機能テーブル４０（図４）の機能の操作を可能にする。
【００５９】
ここでは、ＰＣ１３０から受信したパスワードが、記憶部１４の操作権限レベルごとのパスワードのいずれかと一致した場合について説明したが、一致しなかった場合は、実施形態１にて説明した図５のフローチャートにおける処理と同様である。
なお、プロジェクタ１００の通信部２０および、ＰＣ１３０のＬＡＮカードは、例えば、無線対応の無線ＬＡＮカードであっても良い。この構成の場合、それぞれの無線ＬＡＮカードを、例えば、アドホックモード（ad hoc mode）に設定する。これにより、ＰＣ１３０と、プロジェクタ１００とは、無線ＬＡＮ環境において一対一で接続し、パスワードの送受信を含む通信が可能となる。
【００６０】
上述した通り、本実施形態によれば実施形態１の効果に加えて以下の効果が得られる。
（１）プロジェクタ１００は、プロジェクタ１００を操作するＰＣ１３０と、ＬＡＮを介して接続するための通信部２０を備えることから、プロジェクタ１００は、通信部２０を介してＰＣ１３０により操作される。
制御部１３は、操作部１にプロジェクタを起動するための操作がなされると、通信部２０からパスワードの入力を促す信号をＰＣ１３０に送信し、さらに通信部２０がＰＣ１３０からのパスワードを含む応答信号を受信すると、受信したパスワードが、登録された操作権限レベルごとのパスワードのいずれかと一致した場合、一致したパスワードの操作権限レベルに応じた機能テーブル４０の機能の操作を可能にすることから、プロジェクタ１００は、受信したパスワードと一致した操作権限レベルに対応する機能のみの操作を可能にする。
よって、プロジェクタ１００は、ＰＣ１３０から受信したパスワードと一致した操作権限レベルに対応する機能について、ＰＣ１３０による操作を可能にする。
従って、不正使用を防止するとともに、使用者が必要とする機能の操作権限を与えることができ、外部電子機器による操作が可能なプロジェクタ１００を提供することができる。
【００６１】
（２）プロジェクタ１００の通信部２０および、ＰＣ１３０のＬＡＮカードは、無線対応の無線ＬＡＮカードであっても良いことから、プロジェクタ１００と、ＰＣ１３０とは、無線ＬＡＮ環境において接続する。
さらに、有線ＬＡＮで接続された場合と同様に、パスワードの送受信を含む通信が可能なことから、プロジェクタ１００は、受信したパスワードと一致した操作権限レベルに対応する機能のみの操作を可能にする。
よって、プロジェクタ１００は、ＰＣ１３０から無線ＬＡＮを介して受信したパスワードと一致した操作権限レベルに対応する機能について、ＰＣ１３０による操作を可能にする。
従って、不正使用を防止するとともに、使用者が必要とする機能の操作権限を与えることができ、外部電子機器からの無線による遠隔操作が可能なプロジェクタ１００を提供することができる。
【００６２】
なお、本発明は上述した実施形態に限定されず、上述した実施形態に種々の変更や改良などを加えることが可能である。変形例を以下に述べる。
【００６３】
（変形例１）
図２を用いて説明する。前記各実施形態において、プロジェクタ１００は、光変調素子として３枚の液晶ライトバルブ５Ｒ，５Ｇ，５Ｂを用いた液晶３板式の投写型プロジェクタであるものとして説明したが、これに限定するものではない。
例えば、プロジェクタは、赤、緑、青色のカラーフィルタが規則的に格子状に配置され、１枚でフルカラーの変調光を射出することが可能な単板の液晶ライトバルブを用いる構成であっても良い。また、反射型液晶表示装置や、ティルトミラーデバイスを用いる構成であっても良い。これらの構成であっても、前記実施形態と同様の作用効果を得ることができる。
【００６４】
（変形例２）
図１を用いて説明する。前記各実施形態におよび変形例において、「操作権限の管理プログラム」の実行主体はプロジェクタであるものとして説明したが、プロジェクタに限定するものではなく、表示部を備えた不特定多数により操作される電子機器であれば良い。
例えば、液晶テレビ、プラズマテレビ、有機ＥＬディスプレイを備えたテレビ、リアプロジェクタなどにも適応することが可能であり、前記実施形態および変形例と同様の作用効果を得ることができる。
【００６５】
（変形例３）
図５を用いて説明する。前記実施形態１において、パスワードは、複数の操作権限レベル間で重複することも可能であったが、重複を禁止することとしても良い。この場合、例えば、「第３レベル」の拡張分類のパスワード機能に、複数の操作権限レベル間でのパスワードの重複を禁止する機能を追加する。
さらに、パスワード設定の際に、他の操作権限レベルで使用されているパスワードと同一のパスワードが入力された場合は、当該パスワード受付けず、再設定を促すために、例えば、「パスワードが重複しています。他のパスワードを入力して下さい。」という文字をＯＳＤ表示させることとしても良い。
【図面の簡単な説明】
【００６６】
【図１】一実施形態におけるプロジェクタの使用態様を示す図。
【図２】プロジェクタの概略構成図。
【図３】パスワード設定画面の一態様を示す図。
【図４】操作権限レベル対応機能テーブルの一態様を示す図。
【図５】パスワードによるプロジェクタ使用時のフローチャート。
【図６】機能の操作権限レベル変更画面の一態様を示す図。
【符号の説明】
【００６７】
１…操作部、２…操作部としてのリモコン、３…ランプ、４…光学部、５Ｒ，５Ｇ，５Ｂ…液晶ライトバルブ、８…映像信号処理部、１０…映像信号補正部、１１…ＯＳＤメモリ、１３…制御部、１４…記憶部、１５…操作受付け部、２０…通信部、４０…操作権限レベル対応機能テーブル、１００…プロジェクタ、１３０…映像信号供給装置および外部電子機器、ＳＣ…スクリーン。
【図１】
2006235000.tif 000003
【図２】
2006235000.tif 000004
【図３】
2006235000.tif 000005
【図４】
2006235000.tif 000006
【図５】
2006235000.tif 000007
【図６】
2006235000.tif 000008